(57)【要約】【課題】ユーザが電源プラグをコンセントから抜いたり分岐ブレーカを直接操作したりすることなく、複数台の電気機器への通電を一括して制御できるようにする。【解決手段】一括開閉装置１は、複数の分岐回路２１，２２，…２ｎと一対一に対応する複数の分岐ブレーカ３１，３２，…３ｎを盤本体４１内に収納した分電盤４に隣接して配置されている。この一括開閉装置１は、接点装置１１と、接点装置１１の閉状態と開状態とを切り替えるスイッチ装置１２とを備えている。接点装置１１は、複数の分岐ブレーカ３１，３２，…３ｎのうち第ｎの分岐ブレーカ３ｎを対象ブレーカとし、これに対応する第ｎの分岐回路２ｎを対象回路として、前記対象ブレーカと前記対象回路との間に挿入される。【選択図】図１
2015019520.tif 000002
【特許請求の範囲】
【請求項１】
複数の分岐回路と一対一に対応する複数の分岐ブレーカを盤本体内に収納した分電盤に隣接して配置され、
前記複数の分岐ブレーカのうち少なくとも１つを対象ブレーカとし、前記複数の分岐回路のうち前記対象ブレーカに対応する分岐回路を対象回路として、前記対象ブレーカと前記対象回路との間に挿入される接点装置と、
前記接点装置の閉状態と開状態とを切り替えるスイッチ装置とを備える
ことを特徴とする一括開閉装置。
【請求項２】
前記スイッチ装置は、前記接点装置とは別に設けられており、
前記接点装置は、前記スイッチ装置のオンとオフとの切り替えに伴い当該接点装置の前記閉状態と前記開状態とを切り替える制御部と共にリレー装置を構成している
ことを特徴とする請求項１に記載の一括開閉装置。
【請求項３】
前記リレー装置は前記対象ブレーカと一体化されている
ことを特徴とする請求項２に記載の一括開閉装置。
【請求項４】
前記接点装置が前記閉状態と前記開状態とのいずれにあるかを表示する表示部をさらに備える
ことを特徴とする請求項１〜３のいずれか１項に記載の一括開閉装置。
【請求項５】
前記スイッチ装置は、予め設定された時刻になるとオンとオフとを切り替えるタイマ部を有する
ことを特徴とする請求項１〜４のいずれか１項に記載の一括開閉装置。
【請求項６】
前記スイッチ装置は、ユーザの手動操作を受け付ける操作子と、当該操作子の操作に応じてオンとオフとを切り替える開閉機構とを有する
ことを特徴とする請求項１〜５のいずれか１項に記載の一括開閉装置。
【請求項７】
請求項１〜６のいずれか１項に記載の一括開閉装置と前記分電盤とを一体に備える
ことを特徴とする分電盤装置。
【請求項８】
前記複数の分岐ブレーカは、規格化された取付部材を用いて前記盤本体に固定されており、
前記スイッチ装置は、前記取付部材とは別の取付構造により前記盤本体に固定されている
ことを特徴とする請求項７に記載の分電盤装置。
【請求項９】
前記複数の分岐ブレーカは、規格化された取付部材を用いて前記盤本体に固定されており、
前記スイッチ装置は、前記取付部材を用いて前記盤本体に固定されている
ことを特徴とする請求項７に記載の分電盤装置。
【請求項１０】
前記盤本体は、前記複数の分岐ブレーカを覆うカバーを有しており、
前記カバーには、前記一括開閉装置の前記スイッチ装置を露出させる窓孔が形成されている
ことを特徴とする請求項７〜９のいずれか１項に記載の分電盤装置。
【発明の詳細な説明】
【技術分野】
【０００１】
本発明は、分岐回路ごとに通電のオンおよびオフを行う一括開閉装置、およびそれを備えた分電盤装置に関する。
【背景技術】
【０００２】
一般に、住宅等に設置されている分電盤は、主幹ブレーカと、複数の分岐ブレーカと、これらを収納する盤本体（キャビネット）とを備えている（たとえば特許文献１参照）。特許文献１に記載の分電盤では、分岐ブレーカは、主幹ブレーカの二次側に接続された主幹電路から分岐して負荷となる電気機器に給電する分岐回路（分岐電路）に、それぞれ設けられている。盤本体は、前面が開口した箱状に形成されたボックスと、ボックスの前面開口を開閉する扉（ドア）とを備え、内部に主幹ブレーカおよび分岐ブレーカを収納している。
【０００３】
特許文献１において、分岐ブレーカは、電力系統に接続される一次側端子部と、電気機器（負荷）に接続される二次側端子部とを具備し、一次側端子部と二次側端子部との間に開閉部を備えている。また、この分岐ブレーカは、開閉部の開閉を行う開閉機構部と、開閉機構部と機械的に連結された操作レバー（操作部）および引外し部を備えている。引外し部は、過負荷電流が流れた際、短絡電流が流れた際、漏電が生じた際などの異常発生時に開閉部を強制的に開放させる。操作レバーは、開閉部の開閉を手動操作により行うために設けられており、たとえば開閉部を閉じる位置と開閉部を開く位置との間で回動自在に器体に取り付けられる。
【先行技術文献】
【特許文献】
【０００４】
【特許文献１】特開２０１０−４４９４７号公報
【発明の概要】
【発明が解決しようとする課題】
【０００５】
ところで、電気機器での待機電力の消費を抑える等の目的で、ユーザが外出前に、留守時に使用しない電気機器の電源プラグをコンセントから抜くことが実際に行われている。ただし、対象とする電気機器が複数台あると、これら複数台の電気機器の全てについて、外出の度に電源プラグを抜いて回ることは非常に手間が掛かる。また、ユーザは、対象とする電気機器の全てについて電源プラグを抜いたかどうかを容易に確認する術がなく、電源プラグの抜き忘れを生じることも考えられる。
【０００６】
そこで、ユーザにおいて、上述したような分電盤における分岐ブレーカの操作レバーを手動操作して、この分岐ブレーカに接続されている電気機器への通電を一括して制御することが考えられる。しかし、分電盤には複数の分岐ブレーカが設けられているので、ユーザは、目的とする分岐回路とは異なる分岐回路の分岐ブレーカを誤って遮断してしまう可能性がある。また、一般のユーザにとっては、分電盤の扉を開けてその内部の分岐ブレーカを直接操作することに抵抗を感じることもある。
【０００７】
本発明は上記事由に鑑みて為されており、ユーザが電源プラグをコンセントから抜いたり分岐ブレーカを直接操作したりすることなく、複数台の電気機器への通電を一括して制御できる一括開閉装置、およびそれを備えた分電盤装置を提供することを目的とする。
【課題を解決するための手段】
【０００８】
本発明の一括開閉装置は、複数の分岐回路と一対一に対応する複数の分岐ブレーカを盤本体内に収納した分電盤に隣接して配置され、前記複数の分岐ブレーカのうち少なくとも１つを対象ブレーカとし、前記複数の分岐回路のうち前記対象ブレーカに対応する分岐回路を対象回路として、前記対象ブレーカと前記対象回路との間に挿入される接点装置と、前記接点装置の閉状態と開状態とを切り替えるスイッチ装置とを備えることを特徴とする。
【０００９】
この一括開閉装置において、前記スイッチ装置は、前記接点装置とは別に設けられており、前記接点装置は、前記スイッチ装置のオンとオフとの切り替えに伴い当該接点装置の前記閉状態と前記開状態とを切り替える制御部と共にリレー装置を構成していることが望ましい。
【００１０】
この一括開閉装置において、前記リレー装置は前記対象ブレーカと一体化されていることがより望ましい。
【００１１】
この一括開閉装置において、前記接点装置が前記閉状態と前記開状態とのいずれにあるかを表示する表示部をさらに備えることがより望ましい。
【００１２】
この一括開閉装置において、前記スイッチ装置は、予め設定された時刻になるとオンとオフとを切り替えるタイマ部を有することがより望ましい。
【００１３】
この一括開閉装置において、前記スイッチ装置は、ユーザの手動操作を受け付ける操作子と、当該操作子の操作に応じてオンとオフとを切り替える開閉機構とを有することがより望ましい。
【００１４】
本発明の分電盤装置は、上記の一括開閉装置と前記分電盤とを一体に備えることを特徴とする。
【００１５】
この分電盤装置において、前記複数の分岐ブレーカは、規格化された取付部材を用いて前記盤本体に固定されており、前記スイッチ装置は、前記取付部材とは別の取付構造により前記盤本体に固定されていることが望ましい。
【００１６】
あるいは、この分電盤装置において、前記複数の分岐ブレーカは、規格化された取付部材を用いて前記盤本体に固定されており、前記スイッチ装置は、前記取付部材を用いて前記盤本体に固定されていることが望ましい。
【００１７】
この分電盤装置において、前記盤本体は、前記複数の分岐ブレーカを覆うカバーを有しており、前記カバーには、前記一括開閉装置の前記スイッチ装置を露出させる窓孔が形成されていることがより望ましい。
【発明の効果】
【００１８】
本発明は、複数の分岐ブレーカのうち少なくとも１つを対象ブレーカとし、これに対応する分岐回路を対象回路として、前記対象ブレーカと前記対象回路との間に挿入される接点装置と、前記接点装置の閉状態と開状態とを切り替えるスイッチ装置とを備える。したがって、ユーザが電源プラグをコンセントから抜いたり分岐ブレーカを直接操作したりすることなく、複数台の電気機器への通電を一括して制御できるという利点がある。
【図面の簡単な説明】
【００１９】
【図１】実施形態１に係る分電盤装置を示す概略ブロック図である。
【図２】実施形態１に係る分電盤装置を示す斜視図である。
【図３】実施形態１に係る分電盤装置を示す正面図である。
【図４】実施形態１に係る分電盤装置のカバーを外した状態の正面図である。
【図５】実施形態１に係る分電盤装置の分岐ブレーカの取付構造の説明図である。
【図６】実施形態１に係る分電盤装置の扉を開けた状態の正面図である。
【図７】実施形態２に係る分電盤装置を示す正面図である。
【発明を実施するための形態】
【００２０】
（実施形態１）
本実施形態に係る一括開閉装置１は、図１に示すように、複数の分岐回路２１，２２，…２ｎと一対一に対応する複数の分岐ブレーカ３１，３２，…３ｎを盤本体４１内に収納した分電盤４に隣接して配置されている。この一括開閉装置１は、接点装置１１と、接点装置１１の閉状態と開状態とを切り替えるスイッチ装置１２とを備えている。接点装置１１は、複数の分岐ブレーカ３１，３２，…３ｎのうち少なくとも１つを対象ブレーカとし、複数の分岐回路２１，２２，…２ｎのうち前記対象ブレーカに対応する分岐回路を対象回路として、前記対象ブレーカと前記対象回路との間に挿入される。
【００２１】
図１の例では、一括開閉装置１は、複数の分岐ブレーカ３１，３２，…３ｎである第１の分岐ブレーカ３１，第２の分岐ブレーカ３２，…第ｎの分岐ブレーカ３ｎのうち第ｎの分岐ブレーカ３ｎを対象ブレーカとしている。そのため、対象回路は、複数の分岐回路２１，２２，…２ｎである第１の分岐回路２１，第２の分岐回路２２，…第ｎの分岐回路ｎのうち、第ｎの分岐ブレーカ３ｎに対応する第ｎの分岐回路２ｎである。
【００２２】
なお、以下では、複数の分岐ブレーカ３１，３２，…３ｎの各々をとくに区別しないときにはまとめて「分岐ブレーカ３」といい、複数の分岐回路２１，２２，…２ｎの各々をとくに区別しないときにはまとめて「分岐回路２」という。
【００２３】
また、本実施形態に係る分電盤装置１０は、上述した一括開閉装置１と分電盤４とを一体に備えることが望ましい。つまり、一括開閉装置１は、分電盤４の盤本体４１と一体に設けられることにより、分電盤４と一体化された分電盤装置１０を構成する。
【００２４】
以下、本実施形態に係る一括開閉装置１および分電盤装置１０について詳しく説明する。本実施形態では、一括開閉装置１を中国の一般的な戸建住宅に導入する場合を例として説明するが、一括開閉装置１の使用地域を中国に限定する趣旨ではない。また、一括開閉装置１は、戸建住宅に限らず、たとえば集合住宅の各住戸や、店舗、オフィス、工場などにも導入可能である。
【００２５】
図１に示すように、本実施形態に係る一括開閉装置１は、スイッチ装置１２が、接点装置１１とは別に設けられている。さらに、接点装置１１は、制御部１３と共にリレー装置１４を構成している。制御部１３は、スイッチ装置１２のオンとオフとの切り替えに伴い接点装置１１の閉状態と開状態とを切り替えるように構成されている。ここでは、リレー装置１４は、制御部１３が外部からの制御信号に応じて接点装置１１の閉状態と開状態とを切り替える構成であり、この制御信号がスイッチ装置１２のオンとオフとの切り替えに伴って変化する。
【００２６】
リレー装置１４は、一次側端子１４１（図４参照）と二次側端子１４２（図４参照）とを有し、一次側端子１４１が対象ブレーカ３ｎに接続され、二次側端子１４２には対象回路２ｎが接続される。リレー装置１４は、一次側端子１４１と二次側端子１４２との間に挿入された接点装置１１を器体１４３（図４参照）内に有しており、制御部１３により接点装置１１の開状態、閉状態が切り替えられる。
【００２７】
リレー装置１４における接点装置１１は、上述したように対象ブレーカ３ｎとこれに対応する対象回路２ｎとの間に挿入されているので、スイッチ装置１２のオンとオフとの切り替えに伴い、対象ブレーカ３ｎ−対象回路２ｎ間が導通あるいは遮断される。つまり、接点装置１１が閉状態にあれば、対象ブレーカ３ｎ−対象回路２ｎ間は導通し、接点装置１１が開状態にあれば、対象ブレーカ３ｎ−対象回路２ｎ間は遮断されることになる。
【００２８】
また、スイッチ装置１２は、予め設定された時刻になるとオンとオフとを切り替えるタイマ部１２１と、ユーザの手動操作を受け付ける操作子１２２と、操作子１２２の操作に応じてオンとオフとを切り替える開閉機構１２３とを有している。つまり、スイッチ装置１２は、タイマ部１２１により予め設定された時刻になると自動で接点（図示せず）のオンとオフとが切り替わり、さらに、操作子１２２に対するユーザの操作を受けると開閉機構１２３によって手動で接点のオンとオフとが切り替わる。言い換えれば、スイッチ装置１２は、手動操作に加えてタイマ部１２１による自動操作も可能に構成されたタイマスイッチである。
【００２９】
ここで、タイマ部１２１は、設定部（図示せず）によって「オン時刻」と「オフ時刻」とが予め設定され、現在時刻が「オン時刻」になるとスイッチ装置１２の接点をオンにし、現在時刻が「オフ時刻」になるとスイッチ装置１２の接点をオフにする。「オン時刻」および「オフ時刻」はユーザが設定部を操作して任意に設定（変更）できる。
【００３０】
また、操作子１２２は、ユーザがスイッチ装置１２を操作するための操作ハンドルである。スイッチ装置１２は、いわゆるピアノハンドル式スイッチのように操作子１２２を押す度にオンとオフとが反転するスイッチであってもよいし、シーソースイッチのように操作子１２２の傾きによってオンとオフとが反転するスイッチであってもよい。なお、スイッチ装置１２は、壁スイッチ等に用いられる一般的なスイッチを用いてもよい。
【００３１】
リレー装置１４は、スイッチ装置１２に接続されており、ここではスイッチ装置１２がオンであれば接点装置１１が閉状態となり、スイッチ装置１２がオフであれば接点装置１１が開状態となるように構成されている。なお、リレー装置１４は、本実施形態では外部からの制御信号に応じて接点装置１１の閉状態と開状態とを切り替えるので、スイッチ装置１２から制御信号が送信される構成であればよく、スイッチ装置１２から無線通信により制御信号が送信される構成でもよい。
【００３２】
上述したような構成により、一括開閉装置１は、スイッチ装置１２により接点装置１１の閉状態と開状態とが切り替えられることで、対象ブレーカ３ｎに接続された分岐回路（対象回路）２ｎへの通電を一括して遮断並びに復旧することができる。ここで、対象回路にコンセントなどの配線器具が含まれている場合には、これらの配線器具の化粧プレートはスイッチ装置１２と同色として、他の配線器具と区別可能とすることが望ましい。これにより、ユーザは、一括開閉装置１により、宅内のいずれの配線器具（コンセント）への通電が遮断されるのかを容易に識別できる。
【００３３】
また、本実施形態においては、一括開閉装置１は、図１に示すように接点装置１１が閉状態と開状態とのいずれにあるかを表示する表示部１５をさらに備えている。ここでは、表示部１５は、スイッチ装置１２の出力を受けて、接点装置１１が閉状態にあるときと開状態にあるときとで点灯状態が変化するＬＥＤ（発光ダイオード）からなる。たとえば、表示部１５は、接点装置１１が閉状態にあるときに赤色に点灯し、接点装置１１が開状態にあるときに緑色に点灯する。
【００３４】
なお、この例に限らず、表示部１５は、たとえば接点装置１１が開状態にあるときに点灯、閉状態にあるときに消灯したり、点滅パターンによって表示を行ったりする構成であってもよい。また、表示部１５は、スイッチ装置１２と一体であってもよい。この場合に、いわゆるパイロットスイッチやほたるスイッチ等のオンとオフとの別を表示する機能を持つスイッチをスイッチ装置１２として用いることで、表示部１５を別途設ける場合に比べて構成の簡略化を図ることができる。
【００３５】
次に、上記構成の一括開閉装置１が隣接して配置される分電盤４の構成について説明する。
【００３６】
分電盤４は、図１に示すように、盤本体４１内に複数の分岐ブレーカ３１，３２，…３ｎの他、主幹電路に挿入された主幹ブレーカ４２を収納している。
【００３７】
主幹ブレーカ４２は、一次側端子４２１（図４参照）と二次側端子４２２（図４参照）とを有し、一次側端子４２１に商用電源（電力系統）５が接続され、二次側端子４２２に複数の分岐ブレーカ３１，３２，…３ｎが接続される。なお、中国では配電方式として単相二線式、三相四線式が用いられているが、ここでは商用電源５からの電力は、単相二線式の２２０Ｖで住宅に配電されていると仮定して説明する。
【００３８】
主幹ブレーカ４２は、一次側端子４２１と二次側端子４２２との間に挿入された接点（図示せず）を器体４２３（図４参照）内に有しており、たとえば過負荷電流や短絡電流、漏電といった異常が生じるとトリップする。また、主幹ブレーカ４２は、操作レバー４２４（図４参照）を有しており、ユーザが操作レバー４２４を操作することにより手動で接点の開状態、閉状態を切り替えることも可能である。
【００３９】
分岐ブレーカ３は、一次側端子３０１（図４参照）と二次側端子３０２（図４参照）とを有し、一次側端子３０１が主幹ブレーカ４２の二次側端子４２２に接続され、二次側端子３０２には各々に対応する分岐回路２が接続される。ここでは、第１の分岐ブレーカ３１には第１の分岐回路２１が対応し、第２の分岐ブレーカ３２には第２の分岐回路２２が対応し、第３の分岐ブレーカ３３には第３の分岐回路２３が対応する。また、第ｎの分岐ブレーカ３ｎには第ｎの分岐回路２ｎが対応するが、図１では第ｎの分岐ブレーカ３ｎは対象ブレーカであるから、第ｎの分岐回路（対象回路）２ｎとの間には、一括開閉装置１の接点装置１１が挿入される。
【００４０】
分岐ブレーカ３は、一次側端子３０１と二次側端子３０２との間に挿入された接点（図示せず）を器体３０３（図４参照）内に有しており、たとえば過負荷電流や短絡電流、漏電といった異常が生じるとトリップする。また、分岐ブレーカ３は、操作レバー３０４（図４参照）を有しており、ユーザが操作レバー３０４を操作することにより手動で接点の開状態、閉状態を切り替えることも可能である。
【００４１】
分岐ブレーカ３として、ここでは漏電時に遮断する機能を持つ漏電遮断器（ＥＬＢ：Earth Leakage Circuit Breaker）と、漏電時に遮断する機能を持たない配線用遮断器（ＭＣＢ：Molded Case Circuit Breaker）とが用いられている。漏電遮断器は中性線（Ｎ相）および電圧線（Ｌ相）の２極に接続され、配線用遮断器は電圧線の１極のみ接続される。そのため、配線用遮断器からなる分岐ブレーカ３に対応する分岐回路２は、電圧線のみが分岐ブレーカ３を介して接続され、中性線については分岐ブレーカ３を介さず後述の端子台７１（図４参照）に直接接続される。
【００４２】
漏電遮断器からなる分岐ブレーカ３は、動作確認を行う際にユーザによって操作されるテスト釦３０７（図４参照）と、異常電流の有無を表示する異常表示部３０８（図４参照）とを有している。漏電遮断器は、定常状態でテスト釦３０７が押操作されると、漏電と同様の状態を強制的に作り出すように構成されており、漏電時に遮断機能が正常に動作する状態にあればテスト釦３０７が押操作されたときに接点が開く。異常表示部３０８は、たとえば定常状態と漏電時とで表示色が切り替わることにより、ユーザに対して漏電の発生を視覚的に報知する。なお、漏電遮断器からなる分岐ブレーカ３は、主幹ブレーカ４２と略同一寸法であって、後述の取付部材４５の長手方向において、配線用遮断器からなる分岐ブレーカ３の略２倍の寸法に形成されている。
【００４３】
分岐ブレーカ３に接続される分岐回路２は、たとえば照明器具や給湯設備等の機器、差込接続装置のコンセント（アウトレット）や壁スイッチ等の配線器具を負荷として１つ以上含んでいる。複数の分岐回路２１，２２，…２ｎは、これらの負荷を設置場所（部屋）などによって分類していてもよいが、ここでは、負荷の種類によって分類していると仮定する。そのため、たとえば複数の照明器具がまとめて同一の分岐回路２に接続され、これとは別の分岐回路２に複数のコンセントがまとめて接続されることになる。
【００４４】
分電盤４の盤本体４１は、図２および図３に示すように、正面視が横長の長方形状となる薄箱状に形成されており、屋内（建物内）の壁（図示せず）に取り付けられる。中国の住宅においては、分電盤４は一般的に玄関付近に取り付けられている。
【００４５】
盤本体４１は、前面が開口したケース４３と、ケース４３の前面を覆うようにケース４３の前面側に取り付けられるカバー４４とを有している。この盤本体４１は、ケース４３が壁に埋め込まれるようにして壁に取り付けられ、カバー４４はケース４３から取外可能に取り付けられている。なお、ここでは一例としてケース４３が金属製でカバー４４が合成樹脂製であると仮定するが、この例に限らず、ケース４３が合成樹脂製でカバー４４が金属製、または、ケース４３およびカバー４４がいずれも金属製あるいは合成樹脂製であってもよい。
【００４６】
ここで、本実施形態の一括開閉装置１は、分電盤４の盤本体４１と一体に設けられており、スイッチ装置１２、リレー装置１４、表示部１５が盤本体４１に設けられている。これらスイッチ装置１２、リレー装置１４、表示部１５の盤本体４１への取付構造については、後に詳しく説明する。
【００４７】
図４は、ケース４３からカバー４４を取り外した状態の分電盤４の正面図である。ここでは、分電盤４には６つの分岐ブレーカ３１〜３６が設けられており、そのうち「３１」，「３２」が漏電遮断器、「３３」〜「３６」が配線用遮断器である。
【００４８】
ケース４３は、上述したように中性線を接続するための端子台７１、およびアース線を接続するためのアース端子台７２を内部に収納している。端子台７１は、主幹ブレーカ４２の二次側端子４２２から中性線に接続されており、配線用遮断器からなる分岐ブレーカ３に対応する分岐回路２の中性線が接続されることで、これらの分岐回路２の中性線を主幹ブレーカ４２に接続する。
【００４９】
主幹ブレーカ４２および複数の分岐ブレーカ３１〜３６は、規格化された取付部材４５を用いてケース４３に取り付けられるようにして盤本体４１に固定されている。本実施形態では、取付部材４５は、ドイツ工業規格（ＤＩＮ：Deutsche Industrie Normen）で規格化されているレール、いわゆるＤＩＮレールであって、主幹ブレーカ４２および複数の分岐ブレーカ３１〜３６は、同規格に準拠している。
【００５０】
具体的には、取付部材４５は、図４に示すように、長手方向の両端部が、ケース４３の長手方向（横方向）に対向する一対の側板４３１，４３２に固定されることにより、ケース４３の長手方向の両端間に架設されている。取付部材４５は、ケース４３の短手方向（上下方向）の中央部に設けられている。主幹ブレーカ４２および複数の分岐ブレーカ３１〜３６は、取付部材４５の長手方向に並ぶように取付部材４５に取り付けられる。なお、主幹ブレーカ４２および複数の分岐ブレーカ３１〜３６のケース４３の前面からの突出量を小さく抑えるように、取付部材４５はケース４３の背面に沿って設けられている。
【００５１】
分岐ブレーカ３は、取付部材４５への取付構造として、図５に示すように、器体３０３の背面に取付部材４５を嵌合させる凹部３０５が形成され、さらに器体３０３に対してスライド可能に保持された取付レバー３０６を有する構成を採用している。取外レバー３０６は、凹部３０５の内側面から突き出た結合位置（図５の状態）と、凹部３０５の内側面より引っ込んだ解除位置との間で、ケース４３の背面に沿ってスライド可能である。分岐ブレーカ３は、凹部３０５に取付部材４５が挿入された状態で、取外レバー３０６が結合位置にあれば取付部材４５と機械的に結合され、取付レバー３０６が解除位置にあれば取付部材４５との機械的結合が解除されて取付部材４５から取外可能になる。
【００５２】
図５では、配線用遮断器からなる分岐ブレーカ３について取付部材４５への取付構造を例示しているが、漏電遮断器からなる分岐ブレーカ３や主幹ブレーカ４２においても、取付部材４５への取付構造は同様である。
【００５３】
また、カバー４４は、図６に示すように、ケース４３に取り付けられる内カバー４４２と、内カバー４４２に対して開閉自在に取り付けられた扉４４１とを有している。内カバー４４２は、扉４４１が閉じた状態で扉４４１によって覆われる位置に矩形状に開口した開口孔４４３が形成されており、この開口孔４４３を通して、主幹ブレーカ４２および複数の分岐ブレーカ３１〜３６の一部を前方に露出させている。開口孔４４３は、内カバー４４２のうち主幹ブレーカ４２および複数の分岐ブレーカ３１〜３６に対応する位置であって、少なくとも操作レバー４２４、操作レバー３０４、テスト釦３０７、異常表示部３０８を露出させるような形状に形成されている。
【００５４】
扉４４１は、その上端縁に沿った回転軸（図示せず）を中心に回転することにより、内カバー４４２の開口孔４４３を覆う閉位置（図２，３の状態）と、開口孔４４３を露出させる開位置（図６の状態）との間で移動する。分電盤４は、通常時は扉体４４２を閉位置として使用されており、主幹ブレーカ４２並びに分岐ブレーカ３の状態確認時や復旧操作時やメンテナンス時などには扉体４４２を開位置として使用される。なお、開口孔４４３にはノックアウト部４４４が形成されており、開口孔４４３は、ノックアウト部４４４を折り取ることで、盤本体４１に収納される主幹ブレーカ４２および分岐ブレーカ３の数に合わせて開口面積を調整可能である。
【００５５】
次に、一括開閉装置１が分電盤４と一体化された分電盤装置１０について説明する。
【００５６】
本実施形態の分電盤装置１０において、一括開閉装置１は、上述したようにスイッチ装置１２、リレー装置１４、表示部１５が分電盤４の盤本体４１と一体に設けられている。
【００５７】
具体的に説明すると、リレー装置１４は、配線用遮断器からなる分岐ブレーカ３と外観寸法が略同一に形成されており、さらに、分岐ブレーカ３と同様に、規格化された取付部材４５を用いてケース４３に取り付けられるようにして盤本体４１に固定されている。つまり、リレー装置１４は、取付部材４５への取付構造として図５に例示した分岐ブレーカ３と同様の取付構造を採用しており、ケース４３から取外可能に盤本体４１のケース４３へ取り付けられている。
【００５８】
さらに、リレー装置１４は、主幹ブレーカ４２および複数の分岐ブレーカ３１〜３６と同様に、内カバー４４２の開口孔４４３を通して、その一部を前方に露出させている。なお、リレー装置１４には、分岐ブレーカ３の操作レバー３０４に相当する構成はない。
【００５９】
一方、スイッチ装置１２および表示部１５は、規格化された取付部材（ここではＤＩＮレール）４５とは別の取付構造により、盤本体４１に固定されている。すなわち、スイッチ装置１２および表示部１５は、ケース４３ではなくカバー４４に取り付けられている。
【００６０】
具体的には、図６に示すように内カバー４４２は、扉４４１が閉じた状態で扉４４１によって覆われる位置に矩形状に開口した取付孔４４５が形成されている。スイッチ装置１２は、この取付孔４４５に後部が嵌め込まれるようにして内カバー４４２に取り付けられている。さらに、内カバー４４２は、扉４４１が閉じた状態で扉４４１によって覆われる位置に小孔（図示せず）が形成されており、表示部１５は、この小孔に後部が嵌め込まれるようにして内カバー４４２に取り付けられている。なお、取付孔４４５は開口孔４４３の側方（図６では右側方）に形成され、小孔は開口孔４４３の上方に形成されている。
【００６１】
扉４４１は、閉じた状態でスイッチ装置１２に対応する位置に窓孔４６が形成されている。つまり、カバー４４には、一括開閉装置１のスイッチ装置１２を露出させる窓孔４６が形成されている。そのため、ユーザは、扉４４１を閉じたままの状態で、スイッチ装置１２の操作子（操作ハンドル）１２２を操作することができる。
【００６２】
さらに、扉４４１は、表示部１５に対応する位置に表示窓４７が形成されており、ユーザは、扉４４１を閉じたままの状態で、表示部１５の表示状態を視認することができ、その表示状態から接点装置１１が閉状態と開状態とのいずれにあるかを確認できる。
【００６３】
以上説明した本実施形態の一括開閉装置１は、少なくとも１つの分岐ブレーカ（対象ブレーカ）３とこれに対応する分岐回路（対象回路）２との間に挿入される接点装置１１、および接点装置１１の閉状態と開状態とを切り替えるスイッチ装置１２とを備えている。この構成によれば、ユーザは、スイッチ装置１２を操作するだけで対象となる分岐回路２への通電をまとめて遮断並びに復旧させることができる。
【００６４】
したがって、電気機器での待機電力の消費を抑える場合、ユーザは外出前に、スイッチ装置１２を操作することで、留守時に使用しない電気機器が接続されている分岐回路２への通電を遮断し、帰宅時に再びスイッチ装置１２を操作して通電を復旧すればよい。要するに、本実施形態の一括開閉装置１は、ユーザが電源プラグをコンセントから抜いたり分岐ブレーカ３を直接操作したりすることなく、複数台の電気機器への通電を一括して制御できるという利点がある。
【００６５】
そのため、ユーザにとっては、複数台の電気機器の全てについて外出の度に電源プラグを抜いて回る場合に比べて手間が省け、また、電源プラグの抜き忘れも防止できる。しかも、ユーザは、一般的な壁スイッチを操作するのと同様の感覚でスイッチ装置１２を操作すればよいので、分電盤４内の分岐ブレーカ３を直接操作する場合のように、操作することに抵抗を感じることもない。
【００６６】
また、この一括開閉装置１は、複数の分岐ブレーカ３１，３２，…３ｎを盤本体４１内に収納した分電盤４に隣接して配置されているので、分岐ブレーカ３や分岐回路２との間の配線工事の手間を軽減できる。とくに、分電盤４が玄関付近に設けられている場合には、一括開閉装置１も玄関付近に配置されることになるので、ユーザにおいては、外出時並びに帰宅時にスイッチ装置１２を操作しやすくなる。さらに、一括開閉装置１と盤本体４１とを全体として統一された意匠とすれば見映えもよくなる。なお、ここでいう「隣接」は、一括開閉装置１と分電盤４とが同じ空間（たとえば玄関）に配置されていることを意味しており、上記実施形態のように一括開閉装置１と分電盤４とが一体化されている場合の他、両者間に多少の間隔がある場合も含む。
【００６７】
また本実施形態のように、スイッチ装置１２は、接点装置１１とは別に設けられており、接点装置１１は、スイッチ装置１２のオンとオフとの切り替えに伴い接点装置１１の閉状態と開状態とを切り替える制御部１３と共にリレー装置１４を構成することが望ましい。この構成によれば、一括開閉装置１は、スイッチ装置１２として大容量のスイッチを用いなくても、比較的大容量の分岐回路２への通電を遮断並びに復旧することが可能である。
【００６８】
さらに、この場合において、リレー装置１４は対象ブレーカと一体化されていてもよい。すなわち、リレー装置１４は、接点装置１１が分岐ブレーカ（対象ブレーカ）３の接点と共用され、且つスイッチ装置１２のオンとオフとの切り替えに伴い接点装置１１の閉状態と開状態とを切替可能ないわゆるリモコンブレーカであってもよい。この構成によれば、分電盤４の盤本体４１に収納される内機の数を減らすことができる。
【００６９】
また、一括開閉装置１は、本実施形態のように、接点装置１１が閉状態と開状態とのいずれにあるかを表示する表示部１５をさらに備えることが望ましい。この構成によれば、ユーザは、表示部１５の表示により接点装置１１が閉状態と開状態とのいずれにあるかを確認でき、外出時の消し忘れや帰宅時の付け忘れを防止できる。
【００７０】
さらにまた、本実施形態のように、スイッチ装置１２は、予め設定された時刻になるとオンとオフとを切り替えるタイマ部１２１を有することが望ましい。この構成によれば、一括開閉装置１は、予め設定された時刻になると、分岐回路（対象回路）２への通電を自動的に遮断並びに復旧することができるので、毎日同じ時間帯で外出するような場合に、ユーザは、外出の度にスイッチ装置１２を操作する必要がない。
【００７１】
また、本実施形態のように、スイッチ装置１２は、ユーザの手動操作を受け付ける操作子１２２と、操作子１２２の操作に応じてオンとオフとを切り替える開閉機構１２３とを有することがより望ましい。この構成によれば、一括開閉装置１は、ユーザの手動操作を受けて分岐回路（対象回路）２への通電を遮断並びに復旧するので、外出する時間帯が不規則である場合に、ユーザは、外出のタイミングに合わせて分岐回路２への通電を適切に遮断することができる。
【００７２】
なお、スイッチ装置１２は、上述したタイマ部１２１の機能と、操作子１２２および開閉機構１２３の機能との少なくとも一方を有していればよく、たとえばタイマ部１２１の機能が省略されていてもよい。
【００７３】
さらに、本実施形態に係る分電盤装置１０は、一括開閉装置１と分電盤４とを一体に備えるので、設置スペースを比較的小さく抑えることができ、また見映えもよくなる。しかも、一括開閉装置１が、外部からの制御信号に応じて接点装置１１の閉状態と開状態とを切り替えるリレー装置１４を備える場合、リレー装置１４は、分岐ブレーカ３等の他の内機と同様に分電盤４の盤本体４１に収納可能となる。
【００７４】
分電盤装置１０においては、本実施形態のように、複数の分岐ブレーカ３は、規格化された取付部材４５を用いて盤本体４１に固定されており、スイッチ装置１２は、取付部材４５とは別の取付構造により盤本体４１に固定されていることが望ましい。この構成によれば、分電盤４の内機ではない一般的なスイッチをスイッチ装置１２として用いることができる。
【００７５】
あるいは、複数の分岐ブレーカ３は、規格化された取付部材４５を用いて盤本体４１に固定されており、スイッチ装置１２は、取付部材４５を用いて盤本体４１に固定されていてもよい。具体的には、スイッチ装置１２は、取付部材４５への取付構造として図５に例示した分岐ブレーカ３と同様の取付構造を採用し、ケース４３から取外可能に盤本体４１のケース４３へ取り付けられてもよい。この構成によれば、スイッチ装置１２は、分電盤４の盤本体４１に分岐ブレーカ３等の他の内機と同様に取り付けられるので、分電盤４への取り付けが容易になる。なお、一括開閉装置１が表示部１５を備える場合には、表示部１５も、スイッチ装置１２と同様に取付部材４５を用いて盤本体４１に固定されることが望ましい。
【００７６】
また、分電盤装置１０においては、本実施形態のように、盤本体４１は、複数の分岐ブレーカ３を覆うカバー４４を有しており、カバー４４には、一括開閉装置１のスイッチ装置１２を露出させる窓孔４６が形成されていることが望ましい。この構成によれば、扉４４１が閉じた状態にあっても、ユーザは、スイッチ装置１２を操作できるので、スイッチ装置１２を操作する際の手間が省けるという利点がある。なお、一括開閉装置１が表示部１５を備える場合には、カバー４４には、一括開閉装置１の表示部１５を露出させる窓孔（表示窓４７）も形成されていることが望ましい。スイッチ装置１２および表示部１５は、内カバー４４２のうち扉４４１に覆われない位置（扉４４１の周囲）に設けられていてもよく、この場合には、扉４４１ではなく内カバー４４２に窓孔が形成される。
【００７７】
ところで、スイッチ装置１２は接点装置１１と一体であってもよく、この場合には、リレー装置１４は省略され、スイッチ装置１２内の接点装置１１が対象ブレーカと対象回路との間に挿入されることになる。これにより、一括開閉装置１の部品点数を少なく抑えることができる。
【００７８】
なお、一括開閉装置１は、分電盤４と隣接して配置されていればよく、上述したように分電盤４と一体化された構成に限らず、分電盤４と別体に構成されていてもよい。一括開閉装置１が分電盤４と別体に構成される場合には、スイッチ装置１２とリレー装置（接点装置１１）１４と表示部１５は、盤本体４１とは別の筐体（図示せず）に設けられ、この筐体が盤本体４１に隣接して配置される。
【００７９】
（実施形態２）
本実施形態の一括開閉装置１は、複数の分岐ブレーカ３１，３２，…３ｎのうち２つ以上の分岐ブレーカを対象ブレーカとする点で実施形態１の一括開閉装置１と相違する。以下、実施形態１と同様の構成については、共通の符号を付して適宜説明を省略する。
【００８０】
本実施形態では、複数の分岐ブレーカ３１，３２，…３ｎである第１の分岐ブレーカ３１，第２の分岐ブレーカ３２，…第ｎの分岐ブレーカ３ｎのうち第１の分岐ブレーカ３１と第２の分岐ブレーカ３２との２つの分岐ブレーカを対象ブレーカとする。そのため、対象回路は、第１の分岐回路２１，第２の分岐回路２２，…第ｎの分岐回路ｎのうち、第１の分岐ブレーカ３１に対応する第１の分岐回路２１と、第２の分岐ブレーカ３２に対応する第２の分岐回路２２との２つの分岐回路である。
【００８１】
一括開閉装置１は図７に示すように、互いに独立した第１のスイッチ装置１２４と第２のスイッチ装置１２５とを備えている。第１のスイッチ装置１２４は、第１の接点装置（図示せず）の閉状態と開状態とを切り替え、第２のスイッチ装置１２５は、第２の接点装置（図示せず）の閉状態と開状態とを切り替える。
【００８２】
ここで、第１の接点装置は、第１の分岐ブレーカ（対象ブレーカ）３１と、これに対応する第１の分岐回路（対象回路）２１との間に挿入されている。第２の接点装置は、第２の分岐ブレーカ（対象ブレーカ）３２と、これに対応する第２の分岐回路（対象回路）２２との間に挿入されている。
【００８３】
また、図７では、一括開閉装置１は、第１の接点装置が閉状態と開状態とのいずれにあるかを表示する第１の表示部１５１と、第２の接点装置が閉状態と開状態とのいずれにあるかを表示する第２の表示部１５２とを備えている。
【００８４】
要するに、一括開閉装置１は、対象ブレーカの数の分だけ、接点装置１１、スイッチ装置１２、表示部１５をそれぞれ備え、各対象ブレーカに対応する分岐回路（対象回路）ごとに通電の遮断並びに復旧を実施する。
【００８５】
以上説明した本実施形態の構成によれば、複数の分岐回路２１，２２，…２ｎがある場合に、分岐回路２ごとに通電の遮断並びに復旧を行うことができる。したがって、ユーザは、複数の分岐回路２１，２２，…２ｎの中から、留守時に使用しない電気機器が接続されている分岐回路２を選択して、この分岐回路２への通電を遮断し、帰宅時に再びスイッチ装置１２を操作して通電を復旧することができる。
【００８６】
ここで、第１のスイッチ装置１２４と第２のスイッチ装置１２５とは異なる色に着色されていてもよい。この場合に、第１のスイッチ装置１２４で遮断される第１の分岐回路２１にコンセントなどの配線器具が含まれている場合には、これらの配線器具の化粧プレートは対応する第１のスイッチ装置１２４と同色として、他の配線器具と区別可能とすることが望ましい。同様に、第２のスイッチ装置１２５で遮断される第２の分岐回路２２にコンセントなどの配線器具が含まれている場合には、これらの配線器具の化粧プレートは対応する第２のスイッチ装置１２５と同色として、他の配線器具と区別可能とすることが望ましい。
【００８７】
なお、本実施形態では、複数の分岐ブレーカ３１，３２，…３ｎのうち２つ以上の分岐ブレーカを対象ブレーカとする場合を説明したが、一括開閉装置１は、複数の分岐ブレーカ３１，３２，…３ｎのうち３つ以上の分岐ブレーカを対象ブレーカとしてもよい。この場合でも、一括開閉装置１は、対象ブレーカの数の分だけ、接点装置１１、スイッチ装置１２、表示部１５をそれぞれ備え、各対象ブレーカに対応する分岐回路（対象回路）ごとに通電の遮断並びに復旧を実施する。
【００８８】
その他の構成および機能は実施形態１と同様である。
【符号の説明】
【００８９】
１  一括開閉装置
１１  接点装置
１２，１２４，１２５  スイッチ装置
１２１  タイマ部
１２２  操作子
１２３  開閉機構
１３  制御部
１４  リレー装置
１５，１５１，１５２  表示部
２、２１，２２，…２ｎ  分岐回路
３、３１，３２，…３ｎ  分岐ブレーカ
４  分電盤
４１  盤本体
４４  カバー
４５  取付部材
４６  窓孔
【図１】
2015019520.tif 000003
【図２】
2015019520.tif 000004
【図３】
2015019520.tif 000005
【図４】
2015019520.tif 000006
【図５】
2015019520.tif 000007
【図６】
2015019520.tif 000008
【図７】
2015019520.tif 000009